(57)【要約】【課題】１台のモニタを、複数の人が異なる視野角で観視する場合でも、色見が同じになるようにする。 【解決手段】液晶シャッター付きめがねをかけ、そのめがねより視野角を検出し、液晶シャッターのオフ時間を制御し、視野角で異なる見え（色、輝度）が同じになるように液晶シャッターのオン／オフ時間を補正する。【選択図】図１
2017219646.tif 000002
【特許請求の範囲】
【請求項１】
表示装置に表示された映像を観視する際、光を遮断する光遮断手段を有し、観視輝度を制御するようなシステムにおいて、
個人毎に、前記観視輝度を制御できる個別輝度制御手段と、
個人毎の観視環境の検知手段を有し、
個人毎の異なる観視環境で、同一の映像を観視する際、
前記視環境検知手段よりの検知結果に応じ、前記観視輝度制御手段を制御することにより、個人毎の観視環境に関わらず、同一の色、あるいは、コントラストで観視することを特徴とするシステム。
【発明の詳細な説明】
【技術分野】
【０００１】
本発明は、画像表示装置、中でも、視野角によって、色、輝度が異なって見えるような表示装置において、観視者に同じ色に見えるように補正する画像表示装置及びその制御方法に関する。
【背景技術】
【０００２】
液晶表示装置（液晶モニタ）の性能向上に伴い、画像、映像の作成現場でも液晶モニタの導入が進んでいる。これら作成現場では、作成した画像、映像を複数人で同時に評価するようなケースも多い。一方、液晶モニタは、視野角によって色や輝度が異なって見えるという課題がある。
【０００３】
視野角によって色や輝度を補正するような先行技術はある。視野角による色の違いを補正する手段として、観視者の視線の角度に対応した色味やコントラストの変化に対して最適な画質となるよう補正するような色補正を行う画像処理装置が提案されている（特許文献１）。
【先行技術文献】
【特許文献】
【０００４】
【特許文献１】特開２００６−２７６６９２号公報
【発明の概要】
【発明が解決しようとする課題】
【０００５】
しかしながら、特許文献１の技術は、観視者が一人の場合であって、1台のモニタを、複数の人が異なる視野角で観視する場合、ある観視者がある視野角で観視している表示に対して前述提案の補正できても、異なる視野角で観視する他の観視者に対しては、正しい色、輝度で観視できないという問題があった。
【０００６】
本発明は、この点に鑑み、1台のモニタを、複数の人が異なる視野角で観視する場合、複数の観視者で、色見、輝度が同じになるような画像表示装置を提供することを目的とする。
【課題を解決するための手段】
【０００７】
上記の目的を達成するために、本発明は、
表示装置に表示された映像を観視する際、光を遮断する光遮断手段を有し、観視輝度を制御するようなシステムにおいて、
個人毎に、前記観視輝度を制御できる個別輝度制御手段と、
個人毎の観視環境の検知手段を有し、
個人毎の異なる観視環境で、同一の映像を観視する際、
前記視環境検知手段よりの検知結果に応じ、前記観視輝度制御手段を制御することにより、個人毎の観視環境に関わらず、同一の色、あるいは、コントラストで観視することを特徴とする。
【発明の効果】
【０００８】
本発明によれば、１台のモニタを、複数の人が異なる視野角で観視する場合でも、色見、輝度が同じになるような画像表示装置を提供することができる。
【図面の簡単な説明】
【０００９】
【図１】本発明の実施例1の表示制御装置の構成を示すブロック図
【図２】本発明の実施例1の表示パネルの視野角特性の図
【図３】本発明の実施例1の観視者の視野角を説明する図
【図４】本発明の実施例1の視野角補正テーブル
【図５】本発明の実施例1の制御タイミングの図
【図６】本発明の実施例1の動作の流れ図
【図７】本発明の実施例2の３D信号の説明図
【図８】本発明の実施例2の表示制御装置の構成を示すブロック図
【図９】本発明の実施例2の観視者の視野角を説明する図
【図１０】本発明の実施例2の制御タイミングの図
【図１１】本発明の実施例2の動作の流れ図
【図１２】本発明の実施例3の表示制御装置の構成を示すブロック図
【図１３】本発明の実施例3の制御タイミングの図
【図１４】本発明の実施例3の動作の流れ図
【発明を実施するための形態】
【００１０】
以下、本発明による表示制御装置及びその制御方法の実施例について説明する。
［実施例１］
本実施例では、観視者が、観視視野角に依存せず、同じ色、輝度で観視できるよう、色補正を実施する表示制御装置について説明する。
【００１１】
以下、本実施例について説明する。
【００１２】
図１は本発明を適用した表示制御装置の構成の例である。表示制御装置11と、複数の眼鏡装置12、13、14より構成される。
【００１３】
表示制御装置11は、実施例１の表示装置であって、後述のように、液晶表示器を用いた表示装置である。
【００１４】
測距部1101は、表示装置11と後述の眼鏡12、眼鏡13、眼鏡14の各眼鏡との距離を測定する測距部である。
【００１５】
表示装置11には、表示画面の中心が等距離に２つの測距センサーを具備しており、通信制御部1109より、測距開始信号と眼鏡IDが検知さされると、該２つのセンサにより、眼鏡と表示装置11間の距離を測定し、眼鏡IDと共に、視野角検知部1102へ出力する。また、測距エラーが生じた際、表示パネルにメッセージを出力するメッセージ出力機能、アラーム音の出力機能を有している。
【００１６】
視野角検知部1102は、前記２つのセンサと眼鏡間距離と、２つのセンサ間距離より3角法を使って、表示装置11の画面の中央と眼鏡間の角度、すなわち視野角を算出し、眼鏡IDと共に、補正制御部1104へ出力する。
【００１７】
視野角補正テーブル１１03は、本表示装置11が視野角による輝度低下を補正する補正時間をあらかじめ測定しておき、視野角に対する補正時間情報を保存した視野角補正テーブルである。視野角補正テーブルを図４に示す。左右の視野角に対し、R、G、B毎の補正量を後述、表示パネルの共通オン期間(Ta)に対する比とした値で保存されている。
【００１８】
補正制御部1104は、前記視野角検知部1102より出力される、眼鏡IDとその眼鏡に対応する観視者の視野角を入力し、該視野角に対応するR、G、B補正時間データを補正テーブル1103より選択し、眼鏡IDと共に、後述通信制御部1109へ出力する。また、補正制御部1104は、補正中の眼鏡IDとR、G、B補正時間データを補正中情報として保存しており、入力された視野角の眼鏡IDと同一の眼鏡IDが補正中データに存在するかどうかを調査する。
【００１９】
存在する場合、入力された視野角より選択されたR、G、B補正時間データと保存されている同一眼鏡IDのR、G、B補正時間データを比較し、差が一定以上の場合のみ、今回選択したR、G、B補正時間データを通信制御部1109へ出力し、補正時間の差が小さい場合、保存されているR、G、B補正時間データを通信制御部1109へ出力するよう制御される。
【００２０】
パネル信号生成部1105は、後述、図５のように、後述、表示パネル１１08の表示制御、また、視野角補正のための制御を行うためのタイミング信号、駆動周期（T0）、共通オン期間(Ta)、個別補正期間（Tb）を生成する。該タイミングにより、後述、変換調整部1111より入力されるR、G、B映像信号を、後述図５のように、R、G、Bの各信号毎に前記表示パネル1108へのオン、オフを制御し、共通オン期間と個別補正期間でR、G、Bの各映像信号を出力する。  また、該共通オン期間と個別補正期間のタイミングデータを通信制御部1109へ出力する。
【００２１】
表示パネル1108は、バックライト点灯方式の透過型液晶カラーパネルであって、R（赤）、G(緑)、B（青）の3原色の映像信号を入力し、カラー表示を行う。本パネルは、解像度3840x2160、カラーフォーマットRGB、階調数12bit、フレームレート60Hz、の性能を有している。また、後述図４のごとく、該R、G、Bの入力信号により制御されるものである。
【００２２】
通信制御部1109は、後述眼鏡12から眼鏡14の各眼鏡の通信部1202と通信を行い、表示装置11と各眼鏡の間で各種データの送受信、を行う。測距時においては、測距開始時に、眼鏡の通信部から、測距開始信号と眼鏡IDを受信し、前述測距部1101へ出力する。一方、眼鏡補正時においては、前記眼鏡制御部1104より、R、G、B視野角補正時間データが入力されると、眼鏡IDと共に、各眼鏡の通信部へ送信する。  また、前記パネル信号生成部1105より、定期的に共通オン期間、個別補正期間タイミングデータを入力し、眼鏡IDと共に、各眼鏡の通信部へ送信する。
【００２３】
変換調整部1111は、後述、映像信号源15より出力される映像信号を入力し、本表示装置11の表示パネルを制御できる、解像度、信号フォーマットへ変換するものである。例えば、解像度1920x1080  フレームレート50Hz、カラーフォーマットYCbCr（輝度、色差信号）、階調数10bitで入力された映像信号を、本表示パネル1108の解像度3840x2160、フレームレート60Hz、カラーフォーマットRGB、階調数12bit  に変換するようなものである。  この他、インターレス信号のプログレッシブ変換、その他、色など画質の調整も本変換調整部で行われる。
【００２４】
眼鏡装置12、眼鏡装置13、眼鏡装置14は、液晶シャッターによる光遮断装置付きの眼鏡装置であって、外部よりの制御により、高速で光の遮断ができるものであり、３D番組の視聴の際に使用されるものと同様のものである。眼鏡装置12は、眼鏡毎に固有のIDを有している。測距信号発生部1201は、該測距信号を前記表示装置11の測距部1101へ発射するものであり、眼鏡の中央部に具備されている。
【００２５】
通信制御部1202は、表示装置11の通信制御部1109と通信し、表示装置11に補正開始要求を送信し、表示装置11より、補正開始指示を受信すると、定期的に眼鏡IDと測距開始タイミングを送信する。  定期的に、前述、共通オン期間、個別補正期間タイミングデータを受信し、光遮断部1203へ出力する。また、表示装置11の  通信制御部1109から、自分の眼鏡IDが含まれるR、G、B補正時間を受信し、光遮断制御部へ出力する。
【００２６】
この際、通信制御部1201は、補正開始要求、あるいは測距開始タイミング送信から一定時間以上経過しても、表示装置11より、補正開始指示、補正情報データが受信できない場合、エラー処理として、光遮断制御部に、液晶シャッターを一定タイミングで閉じ、観視者に正常な補正ができていないことを提示する。
【００２７】
光遮断制御部1203は、前記通信制御部1202よりR、G、B補正時間データを入力し、一時的に保存し、新たなR、G、B補正時間データが入力されると新しいデータに書き換える。一方で、共通オン期間、個別補正期間タイミングが入力されると、該タイミングと前記一時保存してある最新のR、G、B補正時間データより、後述図５のような光遮断タイミング信号を生成し、個別補正期間タイミングに同期して、液晶シャッター部を制御し、眼鏡の光の遮断を行う。
【００２８】
液晶シャッター部1204は、眼鏡に搭載された光を遮断するための液晶シャッターであり、映像信号のフレームレートに対して高速に動作する。前記光遮断部よりの遮断タイミングにより制御され、遮断タイミングがオフの場合は該液晶シャッターが閉じ、光が遮断され、これにより、映像信号の色、輝度を制御する。
【００２９】
眼鏡13、眼鏡14も眼鏡12と同様の構成をしているが、異なる眼鏡IDを有しており、表示装置11により独立して制御を実施することが可能である。映像信号源15は、本表示装置11へ表示する映像を出力する信号源であり、パソコン、TVなどであり、各種解像度、階調、カラーフォーマットによる映像信号を出力する。
【００３０】
図２は本表示装置11の表示パネルの視野角特性を示した図である。
【００３１】
表示パネルは、液晶パネルを使用しており、パネルを観視する方向によって輝度が異なる。  表示パネルに対して垂直方向に観視する場合に対して、左右に視野角がある場合は輝度が低下する。また本表示パネルは、赤（R）、緑（G）、B（青）信号毎に制御されるが、R、G、B信号とも輝度が低下する。
【００３２】
この場合、赤、緑、B毎に低下の特性が異なり、このため、視野角のある位置から観視した場合、輝度低下とともに、色がずれて見える現象が発生する。この現象は、パネルの左右視野角によっても異なる。図２の実施例では、視野角が大きくなるにつれ、R、に対し、G、Bの低下が大きいので、より赤っぽく見えることになる。
【００３３】
図３は3人の観視者が、観視者0が視野角0度、観視者１が視野角θ１度、観視者2が、視野角θ2度で観視した際の図であって、これらの視野角で観視した場合、前述図２、図４に記載されるように、視野角θ1、θ2に対応するR、G、B補正量が必要となる。
【００３４】
図５は本表示装置１１、眼鏡12から眼鏡14の制御タイミングを示した図である。表示パネルの駆動周期（T0）に対し、共通オン期間（Ta）と、個別補正期間（Tb）から成る。  駆動周期(T0)は、表示パネルのフレームレートに同期したタイミングである。
【００３５】
R、G、B映像信号は、本表示装置１１に表示する、パネル信号生成部1105で生成される映像信号であり、共通オン期間(Ta)は、R、G、B全映像信号をオンの期間であり、個別補正期間(Tb)は、R補正時間、G補正時間、B補正時間に3等分され、R、G、B映像信号が各々単独でオンとなるように制御される期間である。これに対し、眼鏡遮断タイミングは、共通オン時間は全期間オンとし、個別補正期間は、R、G、B映像信号を個別に遮断する。
【００３６】
観視者が眼鏡をかけて観視する表示装置11の映像は、前述R、G、B映像信号を、眼鏡で遮断タイミングで遮断される時間を除いた時間であり、共通オン時間は全期間オン、個別補正期間で、視野角で輝度が低下した分だけ、R、G、Bの各補正時間、眼鏡のシャッターを開くように遮断タイミングを制御することで、観視者が観視する色の補正を行う。
【００３７】
視野角0度（垂直方向）からの観視では、R、G、B映像信号とも輝度の低下は生じないので、補正量はなく、R、G、B映像信号の補正時間は“0”であり、個別補正期間における、R、G、B映像信号の補正時間も“0”であり、光遮断タイミングもR、G、B全補正期間オフとなる。視野角、左方向θ1によって、輝度が低下した場合、図４の補正制御テーブルより、R、G、B毎の補正時間情報TLCmpRθ1、TLCmpGθ1、TLCmpBθ1に対応して、光遮断制御が行われ、色、輝度の補正が行われる。視野角、右方向θ2の場合も同様となる。
【００３８】
次に、図１から図５と、図６の動作の流れ図を使用し、本発明の動作を説明する。
【００３９】
表示装置の動作が開始されると、映像信号15より入力された映像信号は、変換調整部1111により、表示パネル1108で表示できるような変換映像信号に変換され、パネル信号生成部1105へ送られる。
【００４０】
該変換された映像信号を入力したパネル信号生成部1105は、前述図５で説明したようなR、G、B映像信号を生成し、表示パネル1108に出力すると共に、該表示の共通オン期間、個別補正期間のタイミングを定期的に通信制御部1109へ出力している。
【００４１】
表示パネル1108は、前記パネル信号生成部より出力されるR、G、B映像信号により、映像を表示する（S601）。
【００４２】
表示装置11の測距部1101は、眼鏡からの補正信号要求の有無を監視している（S602）。観視者が、眼鏡12をかけ、眼鏡の補正動作スイッチ（非図示）を入れると、眼鏡12は、補正信号要求を表示装置11へ出力する。該補正信号要求を検知すると、表示装置11の測距部1101は、眼鏡11へ補正開始指示信号を送信する(S603)。補正開始指示を受信した眼鏡12は、その後、測距信号発生部1201から、測距開始信号を表示装置11に送信するとともに、測距信号を発射する。
【００４３】
測距部1101は、該測距開始信号を受信すると(S604)、測距部1101の２つの測距センサーで眼鏡12よりの測距信号を計測、測距を行い、測距結果を測距した眼鏡IDと共に、視野角検知部1102へ出力する。この際、観視者１が表示装置11に顔を向けていないと（画面を観視していない状態）、測距が実施できないので、この場合、表示装置11より測距エラーのアラーム表示、アラーム音で、観視者に提示する。
【００４４】
該測距は定期的に実施されており、観視者が前記メッセージ表示、アラーム音を確認し、画面の方向を向いた時点で、測距が実施される(S605)。測距が完了すると、視野角検知部1102は、前記眼鏡IDと２つの測距データを入力し、２つのセンサ間距離より、眼鏡12の中央と表示装置11の中央間の視野角を算出し、測距した眼鏡IDと共に、補正制御部1104へ出力する（S606）。補正制御部1104は、該視野角情報に基づき、視野角補正テーブル1103をサーチし、対応するR、G、B補正時間データを選択する(S607)。
【００４５】
補正制御部1104は、入力された眼鏡IDが補正中情報に存在する場合、上記選択したR、G、B補正時間データと、保存されているR、G、B補正時間データを比較し、補正時間に一定以上の変化があるかどうかを調査し(S611)、一定以上補正時間が変化していた場合、補正中情報を書き換え、該R、G、B補正時間データを通信制御部1109へ出力する(S612)。変化が一定以下の場合、保存してあるR、G、B補正時間データを通信制御部1109へ出力する(S613)。
【００４６】
通信制御部1109は、前記、1104より入力したR、G、B補正時間データを眼鏡IDと共に、
眼鏡補正データとして、眼鏡12へ送信する（S614）。また、これとは別のタイミングで、前記パネル信号生成部1105より前記共通オン期間、個別補正期間タイミングが生成され(S621)、これが、表示タイミングとして通信部1109により、眼鏡12へ送信される（S622）。前記補正眼鏡データを受信した眼鏡部12の通信制御部1202は、眼鏡IDが自分の眼鏡IDであることを確認し、R、G、B補正時間データを光遮断制御部1203へ出力する。
【００４７】
光遮断制御部1203は、入力したR、G、B補正時間データを最新のものとして保存する（S615）。一方、眼鏡12の通信制御部1201は、R、G、B補正時間データの転送とは別に、S622で送信される共通オン期間、個別補正期間タイミングデータを受信すると、該タイミングデータを光遮断部1203へ出力する(S623)。該タイミングデータを検知した、光遮断部1203は、前記保存されているR、G、B補正時間データを読みだし、図５のような光遮断タイミングを生成し、液晶シャッター部1204のオン／オフを制御し、R、G、B映像信号を個別に遮断する(S624)。これで1回の補正は完了し、定期的にS604に戻り、再度測距、補正が繰り返される。
【００４８】
このように、液晶シャッターにより、R、G、B映像信号を個別に遮断することにより、観視者が該眼鏡12をかけることにより、見る色と輝度を視野角に対応し、視野角0度で観視した場合と同じになるよう色、輝度補正を実施することができる。上記視野角補正を眼鏡13、眼鏡14  に関しても、それぞれの検知された視野角に対して同様の補正を実施することで、他の観視者も、眼鏡13、眼鏡14をかければ、観視者の視野角が異なった場合でも、視野角0度で観視した場合と同じ色、輝度で観視することが可能となる。
【００４９】
［実施例２］
実施例２として、液晶シャッター眼鏡を使用した３D（立体画像表示）視聴が可能な表示装置で、本視野角に対する色補正を実施し、かつ左右の目別々に視野角補正を実施する場合に関して説明する。
【００５０】
図７に、本実施例で使用される、３Dの映像信号と眼鏡の制御例を示す。
【００５１】
３D映像信号は、図7のように、左目用と右目フレーム用の映像データを時分割で伝送し、それを表示パネルに両方とも表示させ、実施例１で使用したのと同じ、液晶シャッター付き眼鏡で、図７のように、左目の映像を表示している時は左目のシャッターのみを開き、右目の映像を表示している時は右目のシャッターのみを開くよう制御することで実現している。
【００５２】
図８に、実施例2の全体ブロック図を示す。
【００５３】
実施例１に対し、３Dの表示制御部を追加したものとなっている。３D映像信号が、映像信号源85より入力される。  測距部1101は、実施例１と同じである。表示パネル1108は、実施例１と同様の液晶パネルである。
【００５４】
視野角検知部8102は、実施例１の視野角検知部1102と同様、測距部1101より、測距データを入力し、眼鏡と表示装置81との視野角を算出する。この際、変換調整部8111より、３D信号を検知すると、測距データと、眼鏡の左右レンズまでの距離を考慮し、左右のレンズの中心と画面中心の視野角を別々に算出し、眼鏡IDと共に補正制御部8104へ出力する。視野角補正テーブル１１03は、実施例１と同一の表示装置81における視野角に対する補正時間情報を保存した視野角補正テーブルである。
【００５５】
補正制御部8104は、実施例１と同様、左右の視野角より視野角補正テーブルを検索し、左右の目に対応する２つ視野角対応のR、G、B補正時間データを選択する。そして、実施例１と同様、補正中情報を調査し、同一眼鏡IDの補正データがある場合比較し、差が一定以上の場合は、今回選択したR、G、B補正時間データを通信制御部8109へ出力し、差が小さい場合、保存されているR、G、B補正時間データを通信制御部8109へ出力する。
【００５６】
パネル信号生成部8105は、後述、図１０のように、後述、表示パネル１１08の３D表示制御、また、左右両眼の視野角補正のための制御を行うためのタイミング信号、駆動周期（T0）、左目用の共通オン期間(TaL)、個別補正期間（TbL）と、右目用の共通オン期間(TaR)、個別補正期間（TbR）を生成する。該タイミングにより、後述、変換調整部8111より入力される3D用R、G、B映像信号を、後述図１０のように、R、G、Bの各信号毎に前記表示パネル1108へのオン、オフを制御し、前記３D用の左右の共通オン期間と、個別補正期間により、R、G、Bの各映像信号を出力する。また、該３D用の左右共通オン期間と個別補正期間のタイミングを通信制御部8109へ出力する。
【００５７】
通信制御部8109は、後述眼鏡82から眼鏡84の各眼鏡の通信部と通信を行い、表示装置81と各眼鏡の間でデータの送受信を行う。測距時においては、測距開始時に、眼鏡の通信部から、測距開始信号と眼鏡IDを受信し、前述測距部1101へ出力する。また、視野角補正時においては、前記補正制御部8104より、３D用の左右R、G、B視野角補正時間データと対応眼鏡IDを入力し、各眼鏡の通信部へ送信する。また  、前記パネル信号生成部8105より、定期的に３D用の左右共通オン期間、個別補正期間タイミングデータを入力し、眼鏡IDと共に、各眼鏡の通信部へ送信する。
【００５８】
変換調整部8111は、後述、映像信号源85より出力される映像信号を入力し、３D信号であるかどうかを判別し、３D映像である場合は、視野角検知部8102、パネル信号生成部8105に、該３D信号情報を伝送する。同時に、実施例１の変換調整部1111と同様、解像度等の信号フォーマットを表示パネル1108が表示できる信号に変換するようなものである。
【００５９】
眼鏡装置82、眼鏡装置83、眼鏡装置84は、液晶シャッターによる光遮断装置付きの眼鏡装置であって、外部よりの制御により、高速で光の遮断ができるものであり、実施例１で使用されるものと同様のものである。眼鏡装置82も、実施例１と同様、眼鏡毎に固有のIDを有している。測距信号発生部1201は、該測距信号を前記表示装置11の測距部1101へ発射するものであり、眼鏡の中央部に具備されている。
【００６０】
通信制御部1202は、表示装置81の通信制御部1109と通信し、表示装置81に補正開始要求を送信し、表示装置81より、補正開始指示を受信すると、定期的に眼鏡IDと測距開始タイミングを送信し、表示装置81の通信制御部1109から、自分の眼鏡IDが含まれるR、G、B補正時間と補正のタイミングを受信する。この際、実施例１と同様、受信データが受信できない場合、エラー処理を実施し、観視者に正常な補正ができていないことを提示する。
【００６１】
光遮断制御部8203は、前記通信制御部1202より３D用左右R、G、B補正時間データと、３D用左右共通オン期間、個別補正期間タイミングより、後述図１０のような遮断タイミング信号を生成し、左右の個別補正タイミングに同期して、左右の液晶シャッター部を個別に制御し、眼鏡の左右の光の遮断を制御する。
【００６２】
液晶シャッター左目部8204は、眼鏡に搭載された左目の光を遮断するための液晶シャッターであり、映像信号のフレームレートに対して高速に動作する。前記光遮断部よりの遮断タイミングにより制御され、遮断タイミングがオフの場合は該液晶シャッターが閉じ、光が遮断され、これにより、映像信号の色、輝度を制御する。液晶シャッター右目部8205は、同様、右目用の光の遮断を制御する。
【００６３】
眼鏡83、眼鏡84も眼鏡82と同様の構成をしているが、異なる眼鏡IDを有しており、表示装置81によって、独立して制御を実施することが可能である。映像信号源85は、本表示装置81へ表示する映像を出力する信号源であり、パソコン、TVなどであり、各種解像度、階調、カラーフォーマットによる映像信号を出力する。
【００６４】
図９は、３人の観視者が、観視者0が視野角0度（補正の視野角θ0L、θ0R）、観視者１が視野角θ１度（補正の視野角θ1L、θ1R）、観視者2が、視野角θ2度（補正の視野角θ2L、θ2R）で観視した際の図であって、本実施例２では、左右の目の瞳孔間隔を加味した補正をおこなっている。従って、眼鏡の視野角0度でも、補正の視野角は0とはならない。
【００６５】
本実施例２においても、図２の視野角補正テーブルより、前記各視野角に対応するR、G、B補正時間データを選択し、補正を実施する。
【００６６】
図１０は本表示装置8１、眼鏡82から眼鏡84の制御タイミングを示した図である。
【００６７】
表示パネルの駆動周期（T0）は、左右別に、左目周期（T0L）、左目共通オン期間（TaL）、左目個別補正期間（TbL）と、右目周期（T0R）、右目共通オン期間（TaR）、右目個別補正期間（TbR）から成る。駆動周期(T0)は、表示パネルのフレームレートに同期したタイミングである。
【００６８】
３DR、G、B映像信号は、本表示装置8１に表示する、パネル信号生成部8105で生成される映像信号であり、左目共通オン期間(TaL)は、R、G、B左目用映像信号をオンの期間であり、右目共通オン期間(TaR)は、R、G、B右目用映像信号をオンの期間である。左目個別補正期間(TbL)は、R補正時間、G補正時間、B補正時間に3等分され、左目用R、G、B映像信号が各々単独でオンとなるように制御される期間である。右目用R、G、B映像信号はオンとはならない。右目個別補正時間(TbR)も、左目用と同様、3等分され、単独で制御される。
【００６９】
これに対し、眼鏡の光遮断タイミングは、共通オン時間中は全期間オンとし、個別補正期間中は、R、G、B映像信号を個別に遮断する点は実施例１と同様であるが、図１０のように、左右それぞれの光遮断タイミングで左右のそれぞれの液晶シャッターを制御する。R、G、B補正時間データも、左目用、右目用個別の補正時間データが使用される。
【００７０】
実施例１と同様、観視者が眼鏡をかけて観視する表示装置81の映像は、前述３D  R、G、B映像信号を、眼鏡で遮断タイミングで遮断される時間を除いた時間であり、左目は、左目共通オン時間は全期間オン、左目個別補正期間で、視野角で輝度が低下した分だけ、左目R、G、Bの各補正時間、眼鏡のシャッターを開くように遮断タイミングを制御し、右目も、左目と同様、右目共通オン全期間と右目用個別補正時間シャッターを開くよう制御する。こうして、左右用の映像に対し、観視する色の補正した３D映像を観視することができる。
【００７１】
次に、図２、図８から図１１の動作の流れ図を使用し、本発明の動作を説明する。
【００７２】
表示装置の動作が開始されると、映像信号85より入力された映像信号は、実施例１と同様映像信号を変換し、パネル信号生成部8105へ伝送すると同時に、３D映像であることを検知すると、該３D検知信号を、視野角検知部8102、パネル信号生成部8105へ出力する。該３D変換映像信号を入力したパネル信号生成部8105は、前述図10で説明したような３D  R、G、B映像信号を生成し、表示パネル1108に出力すると共に、該表示の左右共通オン期間、個別補正期間のタイミングを定期的に通信制御部8109へ出力している。
【００７３】
表示パネル1108は、前記パネル信号生成部より出力されるR、G、B映像信号により、映像を表示する（S1101）。表示装置81の測距部1101は、実施例１と同様眼鏡からの補正信号要求の有無を監視（S1102）、眼鏡82が補正信号要求を表示装置81へ出力、表示装置81が該補正信号要求を検知し、測距部1101は、眼鏡11へ補正開始指示信号を送信する(S1103)。
【００７４】
次に、実施例１と同様、眼鏡12より測距開始信号の送信、測距信号を発射し、測距部1101は、該測距開始信号を受信、測距部1101で測距を行い、測距結果と眼鏡IDを、視野角検知部8102へ出力する。測距時のその他の動作は実施例１のS604、S605と同様である(S1104) (S1105)。視野角検知部8102は、前記、測距２つのセンサの測距結果と、２つのセンサ間距離、あらかじめ決まっている眼鏡の左右レンズ間距離より、眼鏡の左右のレンズ位置と、表示画面中央の角度（左目視野角、右目視野角）を算出する。
【００７５】
前述したように、眼鏡の測距データ発射部は左右レンズの中央（眼鏡中央）に位置しているので、まず、実施例１と同じように、眼鏡中央と表示画面中央の距離と視野角θを算出し、これに前記左右レンズ間の補正角度（Δθ）
Δθ=tan-1（眼鏡の左右レンズ間距離／2 x 眼鏡中央と表示画面中央の距離）
を加算、減算した値とする。
【００７６】
該算出された左目視野角、右目視野角は、眼鏡IDと共に、補正制御部8104へ出力する（S1106）。補正制御部8104は、  該視野角情報に基づき、視野角補正テーブル1103をサーチし、前記左右視野角に対応する左右R、G、B補正時間データを選択する。(S1107)
この際の、補正中情報との比較し、左右R、G、B補正時間データを、眼鏡IDと共に通信制御部8109へ出力する動作は実施例１と同様である(S1111) (S1112) (S1113)。通信制御部8109は、入力された左右R、G、B補正時間データを眼鏡IDと共に3D眼鏡補正データとして眼鏡82へ送信する（S1114）。
【００７７】
また、これとは別のタイミングで、前記パネル信号生成部8105より前記左右の共通オン期間、個別補正期間タイミングが生成され(S1121)、これが、眼鏡IDと共に通信部8109により、眼鏡82へ送信される（S1122）。該3D眼鏡補正データを受信した眼鏡部12の通信制御部1202は、眼鏡IDが自分の眼鏡IDであることを確認し、左右R、G、B補正時間データを光遮断制御部8203へ出力する。光遮断制御部8203は、入力したR、G、B補正時間データを最新のものとして保存する（S1115）。
【００７８】
一方、眼鏡12の通信制御部1201は、左右R、G、B補正時間データの転送とは別に、S1122で送信される左右共通オン期間、個別補正期間タイミングデータを受信すると、該タイミングデータを光遮断部1203へ出力する(S1123)。該タイミングデータを検知した、光遮断部1203は、前記保存されている左右R、G、B補正時間データを読みだし、図１０のような光遮断タイミングを生成し、左右の液晶シャッター部8204、8205のオン／オフを個別に制御し、R、G、B映像信号を個別に遮断する(S1124)。
【００７９】
このように、液晶シャッターにより、3D  R、G、B映像信号を左右両眼の液晶シャッターで個別に遮断することにより、観視者が該眼鏡82をかけることにより、3D映像を観視し、さら見る色と輝度が、視野角0度で観視した場合と同じになるよう色、輝度補正を実施することができる。
【００８０】
［実施例３］
実施例３として、個人の観視環境として、観視位置における反射光の補正を実施した場合について説明する。
【００８１】
反射とは、照明が表示装置の画面に映り込むために発生し、これは観視位置、視野角で異なる。照明は一般に白色であるため、反射による影響は、主にコントラストの低下（黒が浮いた状態となる）であるが、色の見えの違いがもたらされる場合もある。これら反射による、映像そのものの輝度が変化するものとは異なり、映像と異なる光が重畳されたものとなるので、コントラストの低下を改善することはできないが、反射で発生した反射性分を白に補正することにより、映像の色の見えを同じにすることは可能である。
【００８２】
本実施例３のブロック図を図１２に示す。
【００８３】
実施例３は、実施例１と同様、表示制御装置121と、複数の眼鏡装置122、123、124より構成される。表示装置１２１は、本実施例の表示装置であり、実施例1で使用した装置に、反射の補正、制御する部分を追加したものとなっている。
【００８４】
測距部12101は、実施例と同様、測距を実施し、視野角検知部へ視野角情報を出力すると供に、現在時刻がわかる時計機能を有しており、測距完了通知と供に完了時刻を反射補正制御部12152に出力する。視野角検知部1102、視野角補正テーブル1103、視野角補正制御部1104、表示パネル1108、変換調整部1111は、実施例１と同じである。
【００８５】
パネル信号生成部12105は、図１３に示すように、表示パネル１１08を制御するための共通オン期間タイミング、反射個別補正期間タイミング、視野角個別補正期間タイミングを生成し、変換調整部1111より入力されるR、G、B映像信号を、R、G、Bの各信号毎に前記表示パネル1108へのオン、オフを制御する。また、図１３に示すような、バックライトオフ期間（Td）を生成し、後述バックライト制御部12153へ出力する。また、上記、共通オン期間（Ta）と、反射個別補正期間(Td)、補正角個別補正期間（Tb）、バックライトオフ期間（Tc）を通信制御部12109へ出力する。
【００８６】
通信制御部12109は、実施例１と同様、視野角補正制御部1104より、眼鏡IDとR、G、B視野角補正時間データを入力し、眼鏡122の通信制御部12202へ送信する。また、後述反射補正制御部12152より、R、G、B反射補正時間データを入力、これらを眼鏡IDと共に眼鏡122の通信制御部121202へ出力する。また、別途のタイミングで、共通オン期間（Ta）と、反射個別補正期間(Td)、補正角個別補正期間（Tb）、バックライトオフ期間（Tc）を、パネル信号生成部12105より入力し、眼鏡IDと共に眼鏡122の通信制御部121202に送信する。
【００８７】
反射補正テーブル12151は、表示装置を指定された輝度で表示するための、バックライトの点灯時間情報がR、G、B毎に保存されている、反射輝度補正テーブルである。反射補正制御部12152は、測距部12101より、測距完了時刻が入力されると該時刻データを最新測距時刻として保存する。
【００８８】
一方で、通信部12109よりR、G、B反射輝度情報が入力されると、その測定時刻と前記最新測距時刻を比較し、時刻の差が一定時間以内なら、正しい反射輝度測定が行われたと判断する。正しいと判断した場合、通信部12109より入力した、R、G、B輝度成分のうち、最大の色成分を検知し、残りの２つの成分が、前記最大値とするための反射輝度補正時間情報を、前記反射補正テーブルより選択する。
【００８９】
また、反射補正制御部12152は、実施例１の視野角補正制御部1104と同様、前回選択され出力された補正時間情報を保存しており、保存されている前回出力した反射輝度補正時間データと、今回選択した反射輝度補正時間データと比較し、差が一定以上なら、前回の補正時間データに上書きし、該反射補正時間データを眼鏡IDと共に通信制御部12109へ出力し、そうでない場合は、保存されている反射輝度補正時間データを眼鏡IDと共に通信制御部12109へ出力する。
【００９０】
バックライト制御部12153は、パネル信号生成部12153より前記バックライトオフ期間信号を入力し、該信号のタイミングに従って、バックライトのオン、オフを制御する。眼鏡122、眼鏡123、眼鏡124は、同一のものであり、ここでは、眼鏡122のみ説明する。眼鏡122は、実施例１で使用される液晶シャッター眼鏡と同様のものであって、実施例１で使用した眼鏡に輝度測定部を追加したものとなっている。測距信号発生部1201、液晶シャッター部1204は、実施例１と同じである。
【００９１】
通信部12202は、実施例１と同じ、表示装置121の通信部1209とのデータの送受信を行うものであって、現在時刻がわかる時計を具備している。実施例1に加え、表示装置121より、バックライトオフ期間タイミングを受信し、後述輝度測定部12205に出力する。輝度測定部12205で測定されたR、G、B輝度データに、現在時刻情報を付加し、表示装置121の通信制御部12109へ送信する。また、視野角補正時間情報、眼鏡IDに加え、反射補正時間情報を受信し、これを光遮断制御部12203へ出力する。
【００９２】
輝度測定部12205は、R、G、Bの輝度測定部であって、観視者が画面を観視している際、前記通信部12202よりバックライトオフ期間を入力し、バックライトがオフの期間、表示画面のR、G、B輝度を測定し、通信制御部12202へ出力する。この輝度測定は、バックライトがオフなので、外部よりの反射光がなければ、輝度は“0”となるはずであるが、実際は、表示装置121の周囲の照明等が画面に反射し、“0”とはならない。光遮断制御部12203は、通信制御部12202より入力した、共通オン時間、視野角個別補正時間、反射個別補正時間情報に基づき、液晶シャッター部のオン、オフを制御する。
【００９３】
図１３は実施例３の補正制御のタイミングを説明する図であって、Ｒ、Ｇ、Ｂの映像信号は、実施例１の図５に対し、表示パネルの表面輝度を測定を実施時に、バックライトをオフにする期間（Tc）と、反射による色を補正するための反射個別補正期間（Td）を追加したものとなっている。バックライトをオフ期間（Tc）、前述眼鏡の輝度測定部で表示パネルのR、G、B表面輝度を測定する。パネル表面の反射がなければ、この際の表面輝度は0となるはずであるが、０でない場合、これが反射性分となる。反射成分がある場合、その測定輝度に基づいて、反射個別補正期間で、測定した表面輝度 ＋ R、G、Bの補正が白になるように補正を実施する。
【００９４】
図１３では、図２の眼鏡０の観視者は、反射光が黄色ぽいため、R（赤）と緑（G）輝度をさげるように補正している状態、眼鏡１の観視者は、反射光が青っぽいため、B（青）輝度をさげるように補正している状態、眼鏡2の観視者は、反射個別補正期間の補正がないような状態である。
【００９５】
次に、図１２から図１４を使用して、実施例３の動作の流れを説明する。
【００９６】
実施例１と同様、表示装置121で表示が開始され(S601)、眼鏡から補正要求が信号があると（S602）、各種の動作が開始される。まず、反射輝度補正、視野角補正を含む図１３のような各種タイミング（共通オン期間（Ta）と、反射個別補正期間(Td)、補正角個別補正期間（Tb）、バックライトオフ期間（Tc））を生成し、眼鏡装置122出力する(（S1421、S1422)。
【００９７】
同時に、実施例1と同じの視野角補正処理が実施される（S603〜S615）。眼鏡122は各種期間タイミングのうちバックライトオフ期間タイミングを検知すると、これを12205に出力する(S1404)。該バックライトオフ期間を検知した、輝度測定部12205は、バックライトオフ期間中、表示装置表面の反射輝度を測定し(S1405)、該反射輝度データと測定時刻を、眼鏡122の眼鏡IDと共に、通信部12202より表示装置121の通信制御部12109へ送信する(S1406)。
【００９８】
これを受信した通信制御部12109は、反射輝度データの測定時刻と、保存されている最新測距時刻を比較し、差が一定時間以内であれば、眼鏡が表示パネルの方向に向き、正しい反射輝度測定が行われたと判断し次のステップへ進み、該反射輝度データと測定時刻を反射輝度補正部12152へ出力する。
【００９９】
一定時間内に無い場合は、正しい輝度測定が実施されなかった可能性があるので、反射輝度データは破棄し、次の輝度測定結果が検知されるのを待つ(S1407)。測定された反射輝度が正しいと判断された場合、反射輝度補正時間データを反射輝度補正テール12151より選択し、保存されている反射輝度時間データと比較し、差が一定以上なら、前回の反射輝度補正時間データに上書きし、該反射補正時間データを眼鏡IDと共に通信制御部12109へ出力し(S1411)、そうでない場合は、保存されている反射輝度補正時間データを眼鏡IDと共に通信制御部12109へ出力する(S1412)。
【０１００】
前記補正眼鏡データを受信した眼鏡部12の通信制御部1202は、眼鏡IDが自分の眼鏡IDであることを確認し、反射輝度補正時間データを光遮断制御部1203へ出力する。光遮断制御部1203は、入力した反射輝度補正時間データを最新のものとして保存する（S1414）。
【０１０１】
一方、眼鏡12の通信制御部12202は、R、G、B視野角補正時間データの転送とは別に、S1422で送信される共通オン期間、視野角個別補正期間、反射個別補正期間タイミングデータを受信すると、該タイミングデータを光遮断部1203へ出力する(S1422)。該タイミングデータを検知した、光遮断部1203は、前記保存されているR、G、B視野角補正時間データ、反射輝度補正時間データを読みだし、図13のような光遮断タイミングを生成し、液晶シャッター部1204のオン／オフを制御し、R、G、B映像信号を個別に遮断する(S1415)。これで1回の補正は完了し、S603、S1404に戻り、再度反射輝度補正が繰り返される。
【０１０２】
このように、反射輝度の分だけ、液晶シャッターにより、R、G、B映像信号を個別に遮断することにより、観視者が該眼鏡122をかけることにより、反射があった場合でも、色の見えが同じになるよう色の補正を実施することができる。
【０１０３】
［その他の実施例］
実施例２の左右の目の視野角の違いの補正は、実施例１に対しても適用可能である。補正対象としては、観視者の視野角や反射光以外に、個人の視環境として、年齢、個人差よる色の見え方を補正することも可能である。  眼鏡にメモリカードを挿入し、該メモリカードの情報を表示装置に転送可能なようにしておき、あらかじめ、個人の色の見え方に関連する情報をメモリカードに登録しておき、眼鏡にメモリカードを差し込むと、その情報が表示装置に転送され、視野角補正と共に、個人の違いによる、RGB輝度を補正して、色の見えをできるだけ同じにするようなことも可能である。
【符号の説明】
【０１０４】
11  表示装置、1101  測距部、1102  視野角検知部、1103  視野角補正テーブル、
1104  補正制御部、1105  パネル信号生成部、1108  表示パネル、1109  通信部、
1111  変換調整部、12  眼鏡0、1201  測距信号発生部、1202  通信制御部、
1203  光遮断制御部、1204  液晶シャッター部、13  眼鏡1、14  眼鏡2
【図１】
2017219646.tif 000003
【図２】
2017219646.tif 000004
【図３】
2017219646.tif 000005
【図４】
2017219646.tif 000006
【図５】
2017219646.tif 000007
【図６】
2017219646.tif 000008
【図７】
2017219646.tif 000009
【図８】
2017219646.tif 000010
【図９】
2017219646.tif 000011
【図１０】
2017219646.tif 000012
【図１１】
2017219646.tif 000013
【図１２】
2017219646.tif 000014
【図１３】
2017219646.tif 000015
【図１４】
2017219646.tif 000016